(57)【要約】【課題】簡易取り継ぎモード時に、親機と子機が共に通話に参加してしまうのを防止可能なコードレス電話装置を提供することを目的とする。【解決手段】回線を通じて音声信号等の送受信を行うと共に、子機３と双方向に無線通信を行うための無線通信部５と、各種操作を行うための操作部１１と、各種表示を行うための表示部１２と、三者通話を行うための三者通話部１４と、三者通話を監視する通話監視部１５とを備えた親機２と、親機２と双方向に無線通信を行う子機３と、で構成されたコードレス電話装置１であって、回線からの着信時に自動的に三者通話可能となる簡易取り継ぎモード時には、回線側と親機２との通話中に子機３が通話に入ると、通話監視部１５は三者通話の監視を開始し、所定時間経過後も三者通話中ならば親機２は自己と子機３の双方に警告を行わせる構成とした。【選択図】　図１
2004096385.tif 000002
【特許請求の範囲】
【請求項１】
回線を通じて音声信号等の送受信を行うと共に、子機と双方向に無線通信を行うための無線通信部と、各種操作を行うための操作部と、各種表示を行うための表示部と、三者通話を行うための三者通話部と、三者通話を監視する通話監視部とを備えた親機と、
親機と双方向に無線通信を行う子機と、で構成されたコードレス電話装置であって、
回線からの着信時に自動的に三者通話可能となる簡易取り継ぎモード時には、回線側と親機との通話中に子機が通話に入ると、通話監視部は三者通話の監視を開始し、所定時間経過後も三者通話中ならば親機は自己と子機の双方に警告を行わせることを特徴とするコードレス電話装置。
【請求項２】
子機の通話中に親機が通話を抜けて三者通話が終了したものの、再び親機が通話に加わり所定時間経過後も三者通話中ならば、親機は自己と子機の双方に警告を行わせることを特徴とする請求項１記載のコードレス電話装置。
【請求項３】
回線側と親機との通話中に子機が通話に加わり所定時間経過後も三者通話中ならば、親機は自己と子機の双方に警告を行わせることを特徴とする請求項１，２の内のいずれか１記載のコードレス電話装置。
【発明の詳細な説明】
【０００１】
【発明の属する技術分野】
本発明は、三者通話機能を備えたコードレス電話装置に関するものである。
【０００２】
【従来の技術】
従来のコードレス電話装置においては、親機が有する三者通話機能を利用した簡易取り継ぎモード時には、回線から着信すると親機側が電話に出た後に親機から子機に電話を取り継ぎ、子機が通話を開始した後に親機が電話を切れば親機から子機への電話の取り継ぎが行える。無論、簡易取り継ぎモードに設定しなくても、親機側が電話に出た後に（通話中に）親機の子機ボタンを押し、子機を呼び出して子機を通話に入らせた後に（子機の通話中に）、親機が電話を切れば親機から子機への電話の取り継ぎが行えるようになっている。
【０００３】
しかしながら、コードレス電話装置の利用者がダイヤル式の黒電話に慣れ親しんだ人ならば、電話を親機から子機に取り継ぐのに一々色んなボタンを押さなければならない取り継ぎ方は、すこぶる煩わしい方法だと感じるのが普通である。そこで、ダイヤル式の黒電話で使用していた電話の取り継ぎ方と同様の方法、即ち親機側から声を掛けて（例えば、オーイ＃＃＃電話だよと声を掛ける）子機側を呼び出して親機から子機へ電話を取り継ぐ方法を実現したのが、前述の簡易取り継ぎモードを利用した親機から子機への電話の取り継ぎ方である。
【０００４】
【発明が解決しようとする課題】
しかしながら、以上のような従来のコードレス電話装置の構成では、親機が有する三者通話機能を利用した簡易取り継ぎモード時には、回線から着信すると親機側が電話に出た後に親機から子機に電話を取り継いでも、親機が電話を切らない限り三者通話状態が続くので、親機側には子機の通話内容が筒抜けになり、親機側の利用者が意図的に子機の通話内容を盗聴することもできるという課題を有していた。
【０００５】
また、簡易取り継ぎモードに設定している限りは、回線から着信すると自動的に三者通話機能が働くので、親機側の利用者と回線側（発呼側）とが通話中であっても子機側には親機が通話中であることが分からない。そのため、親機と回線側とが通話中であるにも拘らず、子機が回線に対して発呼してしまう事態も生じる。子機が発呼すると（発呼しても繋がらないが）親機と回線側との通話に雑音が混入したりして親機の通話を妨げてしまうという課題も有していた。
【０００６】
本発明は以上の課題を解決し、簡易取り継ぎモード時には、親機と子機が共に通話に参加してしまう三者通話状態を防止可能なコードレス電話装置を提供することを目的とする。
【０００７】
【課題を解決するための手段】
この課題を解決するために本発明のコードレス電話装置は、回線を通じて音声信号等の送受信を行うと共に、子機と双方向に無線通信を行うための無線通信部と、各種操作を行うための操作部と、各種表示を行うための表示部と、三者通話を行うための三者通話部と、三者通話を監視する通話監視部とを備えた親機と、親機と双方向に無線通信を行う子機と、で構成されたコードレス電話装置であって、回線からの着信時に自動的に三者通話可能となる簡易取り継ぎモード時には、回線側と親機との通話中に子機が通話に入ると、通話監視部は三者通話の監視を開始し、所定時間経過後も三者通話中ならば親機は自己と子機の双方に警告を行わせる構成としたものである。
【０００８】
この発明によれば、簡易取り継ぎモード時には、親機と子機が共に通話に参加してしまう三者通話状態を防止可能なコードレス電話装置を提供することができる。
【０００９】
【発明の実施の形態】
本発明の請求項１に記載の発明は、回線を通じて音声信号等の送受信を行うと共に、子機と双方向に無線通信を行うための無線通信部と、各種操作を行うための操作部と、各種表示を行うための表示部と、三者通話を行うための三者通話部と、三者通話を監視する通話監視部とを備えた親機と、
親機と双方向に無線通信を行う子機と、で構成されたコードレス電話装置であって、
回線からの着信時に自動的に三者通話可能となる簡易取り継ぎモード時には、回線側と親機との通話中に子機が通話に入ると、通話監視部は三者通話の監視を開始し、所定時間経過後も三者通話中ならば親機は自己と子機の双方に警告を行わせる構成としたものであり、
親機から子機へ電話を取り継いだ後は、三者通話状態から親機が抜けた二者通話状態に移行するのを促すので、親機が子機の通話を盗聴するのを抑止できるという作用を有する。
【００１０】
本発明の請求項２に記載の発明は、請求項１記載の発明において、子機の通話中に親機が通話を抜けて三者通話が終了したものの、再び親機が通話に加わり所定時間経過後も三者通話中ならば、親機は自己と子機の双方に警告を行わせる構成としたものであり、
親機から子機へ電話を取り継いだ後は、親機が再び通話に加わり三者通話状態になると元の二者通話状態に移行するのを促すので、親機が子機の通話を盗聴するのを抑止できるという作用を有する。
【００１１】
本発明の請求項３に記載の発明は、請求項１，２の内のいずれか１記載の発明において、回線側と親機との通話中に子機が通話に加わり所定時間経過後も三者通話中ならば、親機は自己と子機の双方に警告を行わせる構成としたものであり、
回線側と親機とが通話中であることを知らない子機側に、親機が通話中である旨を発呼前に知らせることができるので、親機の通話中に子機からの雑音が混入するのを防止できるという作用を有する。
【００１２】
以下、本発明の実施の形態について説明する。
【００１３】
（実施の形態１）
本発明の一実施の形態の大要は、簡易取り継ぎモード時に、回線側と親機側と子機側との間で三者通話状態が生じると親機の通話監視部が三者通話の監視を開始し、所定時間経過後も三者通話中ならば二者通話に移行するように（三者通話を止めるように）親機と子機の双方に警告を行なわせることで、親機から子機への電話の取り継ぎの際に、親機側が電話を切らずにそのまま子機の通話を盗聴するのを防止できるように工夫したことである。
【００１４】
また、回線側と親機との通話中に子機側が不用意に通話に加わり、過失で三者通話状態に陥るのを防止できるように工夫したことである。
【００１５】
以下、本発明の一実施の形態の詳細を図１〜図６を参照しながら説明する。
【００１６】
図１は本発明の一実施の形態によるコードレス電話装置の親機の構成を示すブロック図であり、図２は本発明の一実施の形態によるコードレス電話装置の三者通話に移行する手順を示す模式図である。図３〜図５は本発明の一実施の形態によるコードレス電話装置の電話の簡易取り継ぎの手順を示す模式図である。図６は本発明の一実施の形態によるコードレス電話装置の親機の動作を示すフローチャートである。
【００１７】
図１において、コードレス電話装置１は、回線に接続された親機２と、親機２を基地局とする限定された移動通信機能を有する子機３とで構成されており、親機２と子機３とは一定の距離内（１００〜１５０ｍ）で双方向に無線通信可能である。なお、以下の説明においては、親機２に登録済みの子機３は一台であることを前提として話を進めるが、親機２には必要に応じて複数台の子機３を登録することが可能である。
【００１８】
親機２は制御部４の制御の下に電話の相手側と音声信号の送受信を行う。親機２は自己に登録済みの子機３に対しては、無線送信部や無線受信部からなる無線通信部５を通じて子機３側と双方向に無線通信可能である。制御部４はＣＰＵやＲＡＭやＲＯＭ等で構成されており、親機２の制御全般を担っている。この親機２にはコードで接続された受話器６が備わっているので、受話器６を取り上げてオフフックすると子機３との無線通話（内線通話）や回線を通じての外部との通話（外線通話）が可能である。また、親機２にはスピーカーホン通話部７も備わっているので、スピーカーホン通話部７のスイッチを押すと手放しでの通話を行うこともできる。この親機２には留守番電話部８が備わっているので、回線からベルが入来しても親機２側や子機３側で共にオフフックしない場合には、留守番電話部８が作動して入来したメッセージの録音ができるようになっている。この際には、ベルが所定回数（例えば６回）鳴動してもオフフックされないと、制御部４は切り替えスイッチ９を通話回路部１０から留守番電話部８側に切り替えるようになっている。電話をする場合は操作部１１を操作してダイヤルするのであるが、その際はＬＣＤ等で構成された表示部１２にダイヤルした電話番号を表示して確認することができるようになっている。あるいは、電話を掛ける相手が電子電話帳１３に登録済みであれば、電子電話帳１３で電話を掛ける相手の名前を検索し、目的の電話番号や名前を表示部１２に表示した後にオフフック操作をすれば電話を掛けることができる。
【００１９】
さて、この親機２には通話回路部１０に三者通話部１４も備わっているので、利用者は必要に応じて回線側と親機２側と子機３側との間で三者通話を行うことができる。図２に示すような二者通話モードの設定時に、回線側と親機２とが通話中に子機３を三者通話に入らせたいならば、親機２の操作部１１の子機ボタンを押下して（回線側に対しては自動的に保留となる）子機３を呼び出し、子機３側が電話に出たら三者通話を行うことを伝える。そして、親機２の操作部１１の保留ボタンを押下（回線側への保留を解除）すると三者通話が行える。回線側と子機３とが通話中に親機２を三者通話に入らせたいならば、子機３から親機２を呼び出して同様のことを行えば良い。
【００２０】
親機２は通常は二者通話モードに設定されているので、操作部１１を操作して三者通話モードに変更しない限りは三者通話を行うことができない。しかしながら、親機２の設定を三者通話モードに設定しておけば、回線から着信すると操作部１１を操作しなくても最初から三者通話が行えるようになる。これを利用したものが簡易取り継ぎモードと呼ばれるものである。図３に示すように、親機２に備わっている三者通話部１４の三者通話機能を利用した簡易取り継ぎモードに設定しておくと、回線側から掛かって来た電話は親機２の操作部１１の各種のボタンを押下しなくても親機２から子機３へ簡単に取り継ぐことができる。
【００２１】
図３において、回線から着信した電話を親機２側で取ったものの、家族への電話であったので親機２から子機３へ電話を取り継ぐことにした。この際には、親機２側から子機３側へ声を掛けて（例えば、オーイ＃＃＃電話だよと声を掛ける）子機３を三者通話に呼び込む。回線側と親機２と子機３との三者通話が成立したならば、親機２が三者通話から抜ける（受話器６を置いたり、スピーカーホン通話部７を切ったりして通話を止める）ことで親機２から子機３へ電話の取り継ぎが行われる。
【００２２】
しかしながら、親機２が三者通話から抜けてくれないと子機３の通話内容は親機２に筒抜けになる。つまり、親機２側から意図的に子機３の通話を盗聴することができる訳である。親機２が間違いなく三者通話から抜けたか否かを監視するために、図１に示すように、親機２には通話監視部１５が備わっている。通話監視部１５は簡易取り継ぎモード時に自動的に作動するものであり、現在の通話が二者通話であるか三者通話であるかを監視し、所定時間経過後も三者通話中ならば制御部４にその旨を伝達する。所定時間の経過はタイマーで計測するが、必要に応じて所定時間は零に設定することも可能である。
【００２３】
図４は図３からの続きであるが、図４に示すように、親機２から子機３へ声を掛けて子機３を三者通話に呼び込んだ後は、親機２の通話監視部１５が作動して三者通話を監視する。所定時間（例えば２秒）経過後も依然として三者通話中ならば、通話監視部１５は制御部４に三者通話中である旨を伝達する。すると、親機２の制御部４は自己の受話器６から三者通話中であるので三者通話を止める旨の音声を出力する。例えば「親機、子機共に通話状態です。どちらかを切って下さい。」と音声で出力する。親機２の制御部４は子機３に対しても同様のことを行い、子機３から三者通話中であるので三者通話を止める旨の音声を子機３の通話部から音声出力させる。このように、所定時間経過後も三者通話中ならば、親機２は自己と子機３の双方に警告を行わせ、三者通話を中止するように促す。親機２が警告により三者通話から抜けると、回線側と子機３との二者通話が行われ、親機２から子機３への電話の取り継ぎが終了する。
【００２４】
しかしながら、図５に示すように、親機２側が子機２の通話を盗聴しようとして再び子機２の通話に加わると、これは三者通話になるので通話監視部１５が作動して三者通話を監視する。そして、所定時間経過後も依然として三者通話中ならば、通話監視部１５は制御部４に三者通話中である旨を伝達するので、前述したように親機２は自己と子機３に三者通話の警告を行わせ、三者通話を止めるように促す。つまり、親機２と子機３が共に通話中で、この三者通話が所定時間続くならば、親機２と子機３の双方に三者通話中である旨の警告を行わせるのである。このように、三者通話の監視を続ければ、親機２側が子機３の通話を盗聴することは不可能になるので、従来例と異なり親機２から子機３に電話を取り継いでも子機３の通信の秘密が守れることになる。
【００２５】
敷衍（ふえん）するために、図６のフローチャートを参照して簡易取り継ぎモード時の親機２の動作を説明しておく。
【００２６】
ステップ１では、回線から着信して親機２で電話を取ると、回線側と親機２とは二者通話中となる。親機２側の利用者は子機３へ電話を取り継ぎ、子機３の利用者に通話に参加するように促す。
【００２７】
ステップ２では、子機３が通話に加わり三者通話に移行したか否かを判断し、三者通話であればステップ３に進み通話監視部１５が作動するが、三者通話でなければステップ２に留まる。ステップ４では、三者通話が開始されて所定時間が経過したか否かを通話監視部１５が監視する。所定時間が経過するまではステップ４に留まり、所定時間が経過すればステップ５へ進む。
【００２８】
ステップ５では、三者通話が終了したか否かを判断し、三者通話中ならばステップ６に進み、親機２と子機３に三者通話の警告を行わせた後にステップ２へ戻る。三者通話が終了したならばステップ２に戻る。
【００２９】
図６に示すフローチャートによれば、次のような問題も解決できる。簡易取り継ぎモードに設定している限りは、回線から着信すると自動的に三者通話機能が働くので、親機２側の利用者と回線側（発呼側）とが通話中であっても子機３側には親機２が通話中であることが分からない。そのため、親機２と回線側とが通話中であるにも拘らず、子機３が回線に対して発呼してしまい親機２と回線側との通話に雑音が混入したりして親機２の通話を妨げてしまう事態も生じていた。
【００３０】
しかしながら、図６のステップ２では三者通話か否かを判断しているので、親機２と回線側との通話に子機３が加わると（親機２と回線側とが通話中であるにも拘らず、子機３が不用意に外線ボタンを押下して親機２の通話に割り込んでしまうと）、親機２は自動的にステップ１からステップ２へ進むことになり、図６に示すフローチャートのルーチンがスタートする。これにより、子機３が親機２の通話に割り込むとステップ６により親機２と子機３の双方に三者通話の警告を行わせるので、子機３側は親機２が通話中であることを悟り通話を止めることができる。
【００３１】
以上に述べたように、本発明では親機と子機が三者通話に参加しているならば、親機か子機かのどちらかを三者通話から抜けるように仕向けるようにしたので、親機から子機へ電話を取り継いだ際の子機の通話を親機側から盗聴する行為を防止することができる。
【００３２】
【発明の効果】
以上のように本発明のコードレス電話装置によれば、回線を通じて音声信号等の送受信を行うと共に、子機と双方向に無線通信を行うための無線通信部と、各種操作を行うための操作部と、各種表示を行うための表示部と、三者通話を行うための三者通話部と、三者通話を監視する通話監視部とを備えた親機と、
親機と双方向に無線通信を行う子機と、で構成されたコードレス電話装置であって、
回線からの着信時に自動的に三者通話可能となる簡易取り継ぎモード時には、回線側と親機との通話中に子機が通話に入ると、通話監視部は三者通話の監視を開始し、所定時間経過後も三者通話中ならば親機は自己と子機の双方に警告を行わせる構成としたものである。
【００３３】
このことにより、親機から子機へ電話を取り継いだ際の子機の通信の秘密が守れるという効果があるし、親機の通話中に子機が不用意に通話に割り込むことを防止できるという効果もある。
【図面の簡単な説明】
【図１】本発明の一実施の形態によるコードレス電話装置の親機の構成を示すブロック図
【図２】本発明の一実施の形態によるコードレス電話装置の三者通話に移行する手順を示す模式図
【図３】本発明の一実施の形態によるコードレス電話装置の電話の簡易取り継ぎの手順を示す模式図
【図４】本発明の一実施の形態によるコードレス電話装置の電話の簡易取り継ぎの手順を示す模式図
【図５】本発明の一実施の形態によるコードレス電話装置の電話の簡易取り継ぎの手順を示す模式図
【図６】本発明の一実施の形態によるコードレス電話装置の親機の動作を示すフローチャート
【符号の説明】
１　コードレス電話装置
２　親機
３　子機
４　制御部
５　無線通信部
６　受話器
７　スピーカーホン通話部
８　留守番電話部
９　切り替えスイッチ
１０　通話回路部
１１　操作部
１２　表示部
１３　電子電話帳
１４　三者通話部
１５　通話監視部
【図１】
2004096385.tif 000003
【図２】
2004096385.tif 000004
【図３】
2004096385.tif 000005
【図４】
2004096385.tif 000006
【図５】
2004096385.tif 000007
【図６】
2004096385.tif 000008